(57)【要約】【課題】受診者の医療情報を集約するシステムで、その医療情報を救急医療に役立てる。【解決手段】複数の医療機関３１〜３６に亘る受診者１のカルテや検査結果などの医療情報を、各受診者１に固有の識別情報（患者番号）４に対応付けて、管理センター２１，２２の集約サーバに集約して管理し、受診者１やその家族および医療機関３１〜３６の関係者が適宜閲覧することで、治療や投薬などを適切に行えるようにした個人医療情報集約システムにおいて、救急搬送時などの体調不具合時に、救急車内などの収容場所８において、医療従事者９が、識別情報（患者番号）４を入手し、ＰＣ８１から、参照符号６２で示すように、自身のＩＤおよびパスワードと共に管理センター２１，２２に送信することで、医療情報６１を画面８１３に表示する。こうして、集約して管理されている各個人の医療情報を、救急時にも用いることが可能になり、救命率を向上できる。【選択図】図１
2019185534.tif 000002
【特許請求の範囲】
【請求項１】
複数の各医療機関で収集された複数の受診者毎の医療情報を、各受診者に予め付与された固有の識別情報に対応付けて集約して保管し、医療従事者および／または各受診者の要求に応じて、前記各受診者の医療情報を予め定めるルールに基づき閲覧可能にする個人医療情報集約システムにおいて、
前記受診者が体調に不具合を生じた際に収容される収容場所において、前記識別情報を取得する取得手段と、
前記収容場所において、前記受診者の処置に関与する医療従事者が、該受診者の医療情報にアクセスするための認証を行う認証手段と、
前記認証手段で認証が得られると、前記収容場所において、前記識別情報に対応付けられた受診者の医療情報を取得し、前記医療従事者に表示する表示手段とを含むことを特徴とする個人医療情報集約システム。
【請求項２】
前記受診者はネットワークを介して、自身の医療情報にアクセス可能な情報通信端末を有し、
前記情報通信端末は、前記受診者の体調不具合時に、前記各受診者に予め付与された固有の識別情報を前記医療従事者に提示することを特徴とする請求項１記載の個人医療情報集約システム。
【請求項３】
前記収容場所には、近距離の無線ＬＡＮスポットを有し、その無線ＬＡＮスポットには、該個人医療情報集約システムに共通の予め定めるＩＰアドレスが割当てられており、
前記情報通信端末は、前記自身の医療情報にアクセス可能な専用アプリケーションを有し、前記予め定めるＩＰアドレスの無線ＬＡＮの信号を受信すると、前記専用アプリケーションが起動し、前記識別情報を、表示画面に表示、もしくは前記無線ＬＡＮの信号で返信することで前記提示を行うことを特徴とする請求項２記載の個人医療情報集約システム。
【請求項４】
前記識別情報に関連して、該識別情報と同様に受診者の医療情報にアクセス可能な附属番号が予め設定されており、かつ各受診者は、自身の医療情報にアクセスするためのユーザＩＤおよびパスワードを前記情報通信端末から設定しており、
前記情報通信端末のアプリケーションは、前記附属番号ならびにユーザＩＤおよびパスワードを、前記無線ＬＡＮの信号で返信することを特徴とする請求項３記載の個人医療情報集約システム。
【請求項５】
前記予め付与された固有の識別情報の前記医療従事者への提示は、前記医療従事者による前記情報通信端末への予め定める起動操作によるものであることを特徴とする請求項２記載の個人医療情報集約システム。
【請求項６】
前記情報通信端末は、前記医療情報にアクセス可能な専用アプリケーションを有し、その専用アプリケーションは、前記予め定める起動操作として、音声認識によって、前記医療従事者による予め定める音声指示を認識して起動し、前記識別情報を表示画面に表示することで前記提示を行うことを特徴とする請求項５記載の個人医療情報集約システム。
【請求項７】
前記情報処理端末から取得手段へは、予め定める無線通信によって前記識別情報が送信されて、該取得手段へは前記識別情報が自動セットされ、
前記取得手段と情報処理端末との間は、予め定めるタイミングで変更される暗号数列によって暗号化されて前記識別情報が送信されることを特徴とする請求項５または６記載の個人医療情報集約システム。
【請求項８】
前記収容場所には、前記ネットワークを介して、該収容場所内に存在する任意の情報通信端末が受信可能な送信パワーで、緊急通報を発信することができる発信機を備え、
前記発信機は、前記医療従事者の操作に応答して、前記緊急通報を発信し、それを受信した情報通信端末が着信反応を示すことで、該情報通信端末の存在を前記医療従事者に示すことを特徴とする請求項２〜７の何れか１項に記載の個人医療情報集約システム。
【請求項９】
前記取得手段は、前記受診者の収容場所において、携帯電話回線或いは無線ＬＡＮ回線によって応答端末をサーチする第１の無線機であり、
前記受診者は、装身具を装着し、該装身具は、前記識別情報を記憶する記憶部と、前記サーチに応答して、前記携帯電話回線或いは無線ＬＡＮ回線を介して、前記識別情報を前記第１の無線機に返信する第２の無線機とを備えることを特徴とする請求項１記載の個人医療情報集約システム。
【請求項１０】
前記取得手段は、
前記受診者の指紋を採取する採取手段と、
採取した指紋をデータベースで照合して、受診者の個人を特定する個人情報を読出す照合手段と、
前記個人情報を、予め登録されている識別情報のテーブルに紹介して、前記受診者の識別情報を読出す読出し手段とを備えて構成されることを特徴とする請求項１記載の個人医療情報集約システム。
【請求項１１】
前記取得手段は、
前記受診者の顔の画像を撮影する撮影手段と、
撮影した画像をデータベースで照合して、受診者の個人を特定する個人情報を読出す照合手段と、
前記個人情報を、予め登録されている識別情報のテーブルに紹介して、前記受診者の識別情報を読出す読出し手段とを備えて構成されることを特徴とする請求項１記載の個人医療情報集約システム。
【請求項１２】
前記取得手段は、カードリーダーであり、
前記受診者は、前記識別情報を記録したカードを所持することを特徴とする請求項１記載の個人医療情報集約システム。
【請求項１３】
前記受診者は、任意の医療機関の診察券を所持し、
前記取得手段は、前記任意の医療機関の診察券番号と、各受診者の識別情報との対応関係を記憶するテーブルであることを特徴とする請求項１記載の個人医療情報集約システム。
【請求項１４】
前記収容場所における画像を撮像する撮像手段と、
前記撮像手段の撮像画像を送信する送信手段と、
前記送信手段から送信されて来た撮像画像を、前記受診者の受入れ医療機関の表示装置に中継する中継手段とをさらに備えることを特徴とする請求項１〜１３の何れか１項に記載の個人医療情報集約システム。
【請求項１５】
前記送信手段に関連して受信手段を有し、
前記中継手段は、双方向回線で、前記受診者の受入れ医療機関からの少なくとも音声を前記受信手段へ中継することを特徴とする請求項１４記載の個人医療情報集約システム。
【発明の詳細な説明】
【技術分野】
【０００１】
本発明は、個人の医療情報、特に多数の各医療機関（病院など）や、或いは１つの医療機関でも複数の診療科において取得された医療情報を、集約することができるシステムに関する。
【背景技術】
【０００２】
多くの場合、受診者（患者）は、病を発すると、特定の（掛かり付けの、或いは地元の）医療機関に受診し、症状によっては、他の医療機関（大病院）を紹介されたり、別の診療科の医療機関を受診する。したがって、その受診者における医療情報、たとえば診察（診断）結果（カルテ）、検査結果（生化学検査や画像など）および投薬履歴（処方箋）は、受診した医療機関で保管されることで、受診者に適切な対応、たとえば処置や投薬などを行うことができる。
【０００３】
しかしながら、所謂難病など、病の原因が明確でないケースや、高齢者などで、複数の病院や診療科などを掛け持ちするようなケースでは、重複した検査や投薬などが、しばしば問題になる。これが、同じ医療機関の複数の診療科などでは、医療機関内のネットワークで、前記医療情報が共有されることが多いが、他の医療機関に跨がると、受診者の識別番号（診察券やカルテの番号）から別個のものになり、たとえばセカンドオピニオンを求めたりする場合などでは、受診者や家族は、以前に受診した医療機関での前記医療情報を借受け、持ち歩かなければならない。近年では、前記セカンドオピニオンなどのために、カルテや検査結果などの医療情報が、前記受診者や家族の要請に応じて、無償で貸出されるようになっている。
【０００４】
そこで、本件発明者は、先に特許文献１を提案している。特許文献１は、受診者や家族が医療機関で借受けた医療情報を集約機関に持ち込み、レントゲン画像や生化学検査結果などが一目で分かるように集約（名寄せ）するシステムである。これによって、従来では、各病院からそれぞれ提供され、たとえばＣＤで数十枚にもなった医療情報を集約し、容易に管理できるようになっている。具体的には、受診者や家族は、それぞれの医療機関から借受けた複数の医療情報（前記のレントゲン画像や生化学検査結果の包袋やＣＤなど）の持運びが容易になり、医療機関側では、重複した検査を避けたり、経過の確認が容易にできるようになっている。
【０００５】
他にも、個人の医療情報を集約することが、特許文献２や特許文献３でも示されている。また、厚生労働省による医療情報の集約実験が、「地域医療連携の普及に向けた健康情報活用基盤実証事業」として、一部の地域で開始され、さらに、医療情報全般に先立って、投薬情報が、電子版お薬手帳として、より多くの地域で既に実施されている。
【先行技術文献】
【特許文献】
【０００６】
【特許文献１】特許第５１４０３１０号公報
【特許文献２】２０１１−１７５３７３号公報
【特許文献３】２００１−３２５３７２号公報
【発明の概要】
【発明が解決しようとする課題】
【０００７】
上述の従来技術は、複数の医療機関が複数の各受診者の医療情報を共有して、適切な治療に役立てたり、地域の保険組合や医師会が、投薬の重複が無いか確認したり、レセプト請求の不備が無いかを確認したりするのに、非常に有効である。また、他の病院や診療科が、以前の医療情報を得るために、煩雑で時間の掛かる紹介などの作業を無くすこともできる。
【０００８】
しかしながら、各受診者の医療情報は、受診者毎に予め割当てられるＩＤなどの固有の識別情報に対応付けて保管され、必要な際、受診者や家族が、その識別情報を医療従事者（関係者）に提示しなければならない。そのため、外来を訪れて診察を受けるような場合には、保険証などと共に、提示に備えておくことは可能であるが、たとえば救急搬送されて、意識が無いような状況では、救命救急士などの医療従事者が、そのような識別情報を容易に取得することはできず、受入れ（予定の）医療機関についても、同様の状況である。
【０００９】
本発明の目的は、救急時に個人の集約された医療情報を有効に活用することができる個人医療情報集約システムを提供することである。
【課題を解決するための手段】
【００１０】
本発明の個人医療情報集約システムは、複数の各医療機関で収集された複数の受診者毎の医療情報を、各受診者に予め付与された固有の識別情報に対応付けて集約して保管し、医療従事者および／または各受診者の要求に応じて、前記各受診者の医療情報を予め定めるルールに基づき閲覧可能にする個人医療情報集約システムにおいて、前記受診者が体調に不具合を生じた際に収容される収容場所において、前記識別情報を取得する取得手段と、前記収容場所において、前記受診者の処置に関与する医療従事者が、該受診者の医療情報にアクセス（ダウンロード）するためのＩＤ，パスワードなどを用いた認証を行う認証手段と、前記認証手段で認証が得られると、前記収容場所において、前記識別情報に対応付けられた受診者の医療情報を取得し、前記医療従事者に表示する表示手段とを含むことを特徴とする。
【００１１】
上記の構成によれば、複数の各医療機関で収集された複数の受診者毎の現況のカルテや投薬情報、或いは過去の病歴なども適宜含む医療情報を、管理センターなどで、各受診者に予め付与された固有の識別情報に対応付けて受診者毎に集約して保管し、医療従事者、或いは受診者本人や家族などからの要求に応じて、前記各受診者の医療情報を、予め定めるルールに基づき閲覧可能にする個人医療情報集約システムは、受診者や家族が、セカンドオピニオンなどのために自身の医療情報を携えて新規な外来へ行ったり、地域の保険組合や医師会が、投薬の重複が無いか確認したり、レセプト請求の不備が無いかを確認したりするのに、非常に有効である。或いは、他の病院や診療科が、以前の医療情報を得るために、煩雑で時間の掛かる紹介などの作業を無くすことができる。
【００１２】
前記医療情報の閲覧のために予め定めるルールは、たとえば医者が見られるレベル、薬局で見られるレベル、受診者自身で見られるレベルで、医療情報の制限を行う等である。前記識別情報は、ＩＤナンバーなどで、各受診者には１つだけ割当てられ、診察券に記載されるような医療機関毎に割当てられるようなものではない。
【００１３】
本発明は、このような個人医療情報集約システムを利用して、受診者が体調に不具合を生じた時、たとえば救急搬送時に、救急車内や搬送先の病院などの受診者の収容場所において、救護処置を行う救命士、医師、看護士などの医療従事者が、前記医療情報を活用し、適切な処置や事前準備を行えるようにする。詳しくは、先ず受診者の識別情報を取得する必要があり、取得手段を設ける。その取得手段が、具体的には後述するようにして、識別情報を取得すると、前記医療従事者が、認証手段において、ＩＤやパスワードなどを用いて、自身が受診者の医療情報にアクセス（ダウンロード）する資格を有しているかどうかの認証を行い、認証されると、医療情報にアクセス（ダウンロード）して、表示手段に表示させる。
【００１４】
したがって、管理センターなどで集約して管理されている各個人の医療情報を有効に用いて、救急時においても、医療従事者が適切な対応を取り易く、救命率を上げることができる。
【００１５】
また、本発明の個人医療情報集約システムでは、前記受診者はネットワークを介して、新規の外来などの所望する時点（別病院に掛かる際など）に、適宜自身の医療情報にアクセス可能な専用アプリケーションを有する情報通信端末を有し、前記情報通信端末は、前記受診者の体調不具合時（救急搬送時など）に、前記各受診者に予め付与された固有の識別情報を前記医療従事者に提示することを特徴とする。
【００１６】
上記の構成によれば、受診者が、タブレット端末やスマートフォンなどのネットワーク接続可能な情報通信端末を所有する場合、それに個人医療情報集約システムの専用アプリケーションをインストールさせ、前記識別情報などで正式なユーザであることが認証されることで、受診者は、適宜自身の医療情報にアクセス可能になる。したがって、取得した医療情報を携えて、前記セカンドオピニオンなどで、新規の外来などに行く（別病院に掛かる）ことができる。そのような専用アプリケーションをインストールしていることから、情報通信端末は、前記受診者の体調不具合時（救急搬送時など）に、前記各受診者に予め付与された固有の識別情報を前記医療従事者に提示する。
【００１７】
したがって、前記取得手段での識別情報の取得が容易になる。たとえば、スマートフォンの画面を確認するだけでよい。
【００１８】
さらにまた、本発明の個人医療情報集約システムでは、前記収容場所には、近距離の無線ＬＡＮスポットを有し、その無線ＬＡＮスポットには、該個人医療情報集約システムに共通の予め定めるＩＰアドレスが割当てられており、前記情報通信端末は、前記自身の医療情報にアクセス可能な専用アプリケーションを有し、前記予め定めるＩＰアドレスの無線ＬＡＮの信号を受信すると、前記専用アプリケーションが起動し、前記識別情報を、表示画面に表示、もしくは前記無線ＬＡＮの信号で返信することで前記提示を行うことを特徴とする。
【００１９】
上記の構成によれば、所謂Wi-Fi（登録商標、IEEE 802.11規格）や、Bluetooth（登録商標、IEEE 802.15規格）などの近距離の無線ＬＡＮのスポットを、救急車内や処置室などの前記収容場所の限られた空間内でしか有効にならないように設置し、その無線ＬＡＮスポットに割当てていたシステム共通の予め定めるＩＰアドレスの信号を受信することで、情報通信端末内にインストールしておいた専用アプリケーションが起動し、前記識別情報を、表示画面に表示したり、前記無線ＬＡＮの信号で返信する。
【００２０】
したがって、所有者（受診者）の容態が悪く、携帯情報端末を操作して識別情報を取出せないような場合にも、医療従事者は識別情報を確実に取得することができる。
【００２１】
また、本発明の個人医療情報集約システムでは、前記識別情報に関連して、該識別情報と同様に受診者の医療情報にアクセス可能な附属番号が設定されており、かつ各受診者は、自身の医療情報にアクセスするためのユーザＩＤおよびパスワードを前記情報通信端末から設定しており、前記情報通信端末のアプリケーションは、前記附属番号ならびにユーザＩＤおよびパスワードを、前記無線ＬＡＮの信号で返信することを特徴とする。
【００２２】
上記の構成によれば、各受診者には、自身を特定するための前記固有の識別情報が、システムから予め付与されており、この識別情報が一致すれば、システムに集約されている受診者個人の医療情報を、前記予め定めるルールに基づき、閲覧可能になる。一方、一般に、スマートフォンなどの情報通信端末から、何らかのシステムにログインするためには、ユーザＩＤおよびパスワードの設定が必要になる。そこで、本システムでも、これらのユーザＩＤおよびパスワードを使用するにあたって、識別情報に関して、受診者個人の医療情報にアクセス可能であるものの、本来の識別情報ではなく、たとえばそれに類似した附属番号を設定し、無線ＬＡＮではそれを使用する。
【００２３】
したがって、ユーザＩＤおよびパスワードによる認証は必要になるものの、受診者の体調不具合時に、無線ＬＡＮの呼出しに情報通信端末が自動的に応答し、それが第三者に傍受されても、重要な個人情報である識別情報が明らかになる訳で無く、個人情報の保護を行うことができる。
【００２４】
さらにまた、本発明の個人医療情報集約システムでは、前記予め付与された固有の識別情報の前記医療従事者への提示は、前記医療従事者による前記情報通信端末への予め定める起動操作によるものであることを特徴とする。
【００２５】
好ましくは、前記情報通信端末は、前記医療情報にアクセス可能な専用アプリケーションを予め有し（インストールしており）、その専用アプリケーションは、前記予め定める起動操作として、所謂ＡＩスピーカや、検索機能を利用した音声認識によって、前記医療従事者による予め定める音声指示を認識して起動し、前記識別情報を表示画面に表示することで前記提示を行うことを特徴とする。
【００２６】
上記の構成によれば、受診者が、タブレット端末やスマートフォンなどの情報通信端末を所有し、それに個人医療情報集約システムの専用アプリケーションがインストールされている場合、医療従事者は、その情報通信端末に標準に備えられている音声認識ソフトや検索ソフトから、本個人医療情報集約システムにリンクさせて、前記専用アプリケーションを起動させることができる。起動されると、その専用アプリケーションは、所有者（受診者）の識別情報を、画面表示したり、音声読み上げしたりして、提示を行う。
【００２７】
したがって、所有者（受診者）が複雑な本人認証を行わなくても、医療従事者が識別情報を探索し、医療情報にアクセス可能になるので、所有者（受診者）の容態が悪く、識別情報を聞き出せないような状況でも、識別情報を確実に取得することができる。また専用アプリケーションは常時立上がっていなくてもよく、情報通信端末の消費電力を削減することができる。
【００２８】
また、本発明の個人医療情報集約システムでは、前記情報処理端末から取得手段へは、予め定める無線通信によって前記識別情報が送信されて、該取得手段へは前記識別情報が自動セットされ、前記取得手段と情報処理端末との間は、予め定めるタイミングで変更される暗号数列によって暗号化されて前記識別情報が送信されることを特徴とする。
【００２９】
上記の構成によれば、救急車内や処置室などの前記受診者の収容場所において、たとえばスマートフォンなどの情報処理端末に表示された識別情報を、医療従事者がパーソナルコンピュータなどの取得手段に手入力したりする場合は、識別情報の取得（セット）にあたって、その収容場所以外に該識別情報が漏れることはないが、無線ＬＡＮなどの所定の無線通信で前記識別情報を送信して、自動セットすることで、医療従事者の負担軽減を図ったり、入力時間を短縮したりする場合、その無線通信が前記収容場所の外に漏れる可能性がある。医療従事者のＩＤ，パスワードなどの認証手段での認証をパスできる手段を有する者が、その識別情報を傍受してしまうと、受診者の個人情報であるカルテなどが閲覧可能になる。
【００３０】
そこで、前記取得手段と情報処理端末との間は、予め定めるタイミング、たとえば所定周期や、使用毎に変更される暗号数列によって、前記識別情報を暗号化しておくことで、そのような個人情報の不所望な漏洩を防止することができる。
【００３１】
さらにまた、本発明の個人医療情報集約システムでは、前記受診者の収容場所には、前記ネットワークを介して、該収容場所内に存在する任意の情報通信端末が受信可能な送信パワーで、地震などの緊急通報を発信することができる発信機を備え、前記発信機は、前記医療従事者の操作に応答して、前記緊急通報をダミーで発信し、それを受信した情報通信端末が着信反応を示すことで、該情報通信端末の存在を前記医療従事者に示すことを特徴とする。
【００３２】
上記の構成によれば、医療従事者が、所有者（受診者）が情報通信端末を、持っているかどうか、持っていても何処に持っているか分からない場合、ダミーで、地震などの緊急通報を、救急車内や処置室などの前記収容場所の限られた空間内でしか有効にならない程度の低パワーで送信してみて、その着信反応から携帯情報端末の所在を確認する。
【００３３】
したがって、所有者（受診者）の容態が悪く、携帯情報端末の所在を聞き出せないような状況でも、医療従事者は識別情報を確実に取得することができる。
【００３４】
また、本発明の個人医療情報集約システムでは、前記取得手段は、救急車や処置室などの前記受診者の収容場所において、携帯電話回線或いは無線ＬＡＮ回線によって応答端末をサーチ（ポーリング、探索）する第１の無線機であり、前記受診者は、ブレスレットなどの習慣的に受診者に身に着けられる装身具を装着し、該装身具は、前記識別情報を記憶する記憶部と、前記サーチに応答して、前記携帯電話回線或いは無線ＬＡＮ回線を介して、前記識別情報を前記第１の無線機に返信する第２の無線機とを備えることを特徴とする。
【００３５】
上記の構成によれば、前記の取得手段による識別情報の取得を、受診者が習慣的に身に付けるブレスレットなどの装身具を用いて行う。詳しくは、前記取得手段は、救急車や処置室などの前記受診者の収容場所だけの狭小な範囲に到達可能な無線信号を送信する第１の無線機とし、該第１の無線機は、携帯電話回線或いは無線ＬＡＮ回線を使用して、ポーリングなどで応答して来る端末をサーチ（探索）している。前記装身具を装着した受診者が救急車に運び込まれるなどして、応答する第２の無線機を検出すると、取得手段である第１の無線機は、第２の無線機と無線通信を行い、通信相手先に対する所定の認証を行う。認証が行われると、記憶部に記憶されている受診者のＩＤなどの識別情報が第２の無線機から第１の無線機に送信され、該識別情報に対応付けられた受診者の医療情報の表示が可能になる。
【００３６】
したがって、ブレスレットなどの受診者が習慣的に身に付ける装身具を利用して識別情報を取得するので、識別情報が取得できる可能性が高くなる。
【００３７】
さらにまた、本発明の個人医療情報集約システムでは、前記取得手段は、前記受診者の指紋を採取する採取手段と、採取した指紋をデータベースで照合して、受診者の個人を特定する個人情報を読出す照合手段と、前記個人情報を、予め登録されている識別情報のテーブルに紹介して、前記受診者の識別情報を読出す読出し手段とを備えて構成されることを特徴とする。
【００３８】
上記の構成によれば、前記の取得手段による識別情報の取得を、パスポートや警察などで予め登録されている指紋のデータベースと照合して、受診者の識別情報を読出す。具体的には、データベースで指紋から住所や氏名などの個人情報を読出し、その個人情報を、前記個人医療情報集約システムの機構で作成された識別情報のテーブル、つまり誰に何番の識別情報を割付けているかのテーブルに照合することで、指紋から、最終的に識別情報を読出す。
【００３９】
したがって、指紋がデータベースに登録されている受診者であれば、格別、何ら身に着けているものが無くても、また受診者の容態が悪くても、識別情報を読出し、カルテなどが閲覧可能になる。
【００４０】
また、本発明の個人医療情報集約システムでは、前記取得手段は、前記受診者の顔の画像を撮影する撮影手段と、撮影した画像をデータベースで照合して、受診者の個人を特定する個人情報を読出す照合手段と、前記個人情報を、予め登録されている識別情報のテーブルに紹介して、前記受診者の識別情報を読出す読出し手段とを備えて構成されることを特徴とする。
【００４１】
上記の構成によれば、前記の取得手段による識別情報の取得を、運転免許証、パスポート、マイナンバーなどで予め登録されている顔写真のデータベースと照合して、受診者の識別情報を読出す。具体的には、データベースで顔画像から住所や氏名などの個人情報を読出し、その個人情報を、前記個人医療情報集約システムの機構で作成された識別情報のテーブル、つまり誰に何番の識別情報を割付けているかのテーブルに照合することで、顔画像から、最終的に識別情報を読出す。
【００４２】
したがって、顔画像がデータベースに登録されている受診者であれば、格別、何ら身に着けているものが無くても、また受診者の容態が悪くても、識別情報を読出し、カルテなどが閲覧可能になる。
【００４３】
さらにまた、本発明の個人医療情報集約システムでは、前記取得手段は、カードリーダーであり、前記受診者は、前記識別情報を記録したカードを所持することを特徴とする。
【００４４】
上記の構成によれば、前記の取得手段による識別情報の取得に、マイナンバーなどで予め登録されているＩＣカードなどを利用することができる。
【００４５】
したがって、医療従事者は、カードをカードリーダーに近付けたり、接触させたり、差込んだりして、情報を読取ることで、容易に識別情報を読出すことができる。
【００４６】
また、本発明の個人医療情報集約システムでは、前記受診者は、任意の医療機関の診察券を所持し、前記取得手段は、前記任意の医療機関の診察券番号と、各受診者の識別情報との対応関係を記憶するテーブルであることを特徴とする。
【００４７】
上記の構成によれば、元々、個人医療情報集約システムでは、各受診者に割当てられる１つの識別情報に対して、多数の医療機関から集められたその受診者に関する情報が対応付けて記憶されるので、前記受診者に関する情報の中には、各医療機関での診察券の情報も含まれる。
【００４８】
したがって、個人医療情報集約システムにおける各受診者の識別情報に対して、その受診者の各医療期間での診察券番号をテーブル（一覧表）にしておき、前記受診者の体調不具合時に、受診者が持ち合わせた診察券の１枚から、前記テーブルを参照して、容易に識別情報を読出すことができる。
【００４９】
さらにまた、本発明の個人医療情報集約システムでは、前記救急車や処置室などの前記受診者の収容場所における画像を撮像する撮像手段と、前記取得手段で取得された識別情報および認証手段で取得された医療従事者のＩＤ，パスワードなどの認証に関する情報、ならびに前記撮像手段の撮像画像を送信する送信手段と、前記送信手段から送信されて来た撮像画像を、前記受診者の受入れ医療機関の表示装置に中継する中継手段とをさらに備えることを特徴とする。
【００５０】
上記の構成によれば、前記救急車や処置室などの前記受診者の収容場所におけるライブ画像を、受診者の（最終の）受入れ（予定の）医療機関の表示装置に中継することができる。
【００５１】
したがって、前記受入れ（予定の）医療機関では、適切な受入れ準備を行うことができ、患者（受診者）の救命率を向上することができる。また、救急救命士などの医療従事者については、患者（受診者）の処置と並行して行わなければならない受入れ（予定の）医療機関への、症状や処置の説明などの煩雑な作業を軽減することができる。
【００５２】
また、本発明の個人医療情報集約システムでは、前記送信手段に関連して受信手段を有し、前記中継手段は、双方向回線で、前記受診者の受入れ医療機関からの少なくとも音声を前記受信手段へ中継することを特徴とする。
【００５３】
上記の構成によれば、前記受診者の収容場所におけるライブ画像を見て、少なくとも音声を前記受診者の収容場所に送信可能であるので、前記受入れ（予定の）医療機関側から、治療や処置の指示を行ったり、詳細な状況確認を行ったりすることができる。
【００５４】
したがって、患者（受診者）の救命率をより向上することができる。
【発明の効果】
【００５５】
本発明の個人医療情報集約システムは、以上のように、集約された各受診者の医療情報を用いることで効率的で適切な医療を実現するにあたって、救急搬送時などの受診者の体調不具合時に、救急車内などの受診者の収容場所において、取得手段が前記受診者の識別情報を取得し、認証手段において、救命士などの医療従事者が受診者の医療情報にアクセス（ダウンロード）する資格を有していることが認証されると、当該受診者の医療情報が表示手段に表示される。
【００５６】
それゆえ、集約して管理されている各個人の医療情報を、救急時にも用いることが可能になり、医療従事者が適切な対応を取り易く、救命率を向上することができる。
【図面の簡単な説明】
【００５７】
【図１】本発明の実施の一形態に係る個人医療情報集約システムの全体構成を示すブロック図であり、受診者（患者）の救急搬送時の状態を示す。
【図２】本発明の実施の一形態に係る個人医療情報集約システムの全体構成を示すブロック図であり、受診者の平常時の状態を示す。
【図３】前記個人医療情報集約システムにおける受診者（患者）の医療情報へのアクセスのための入力画面の一例を示す図である。
【図４】図３の入力の結果、得られた医療情報の一例を示す図である。
【図５】前記個人医療情報集約システムにおける受診者（患者）の医療情報へのアクセスのための入力画面の他の例を示す図である。
【図６】前記個人医療情報集約システムにおける受診者（患者）のライブ画像の送信イメージを示す図である。
【図７】前記ライブ画像の受信イメージを示す図である。
【発明を実施するための形態】
【００５８】
図１および図２は、本発明の実施の一形態に係る個人医療情報集約システムの全体構成を示すブロック図である。図１は、受診者（患者）１の救急搬送時の状態を示し、図２は、平常時の状態を示す。図２を参照して、本実施形態の個人医療情報集約システムは、受診者１１〜１４（以下、総称する際は、参照符号１で示す）の個人に掛かる医療情報を、管理センター２１，２２（以下、総称する際は、参照符号２で示す）の集約サーバに集約して管理されることで、利便性を高めることを目的とするものである。管理センター２は、各都道府県に設置されたり、或いは全国を一元管理するものであったり、適宜定められればよい。
【００５９】
具体的には、複数の各医療機関３１〜３６（以下、総称する際は、参照符号３で示す）で収集された複数の受診者１毎の現況のカルテや投薬情報、或いは過去の病歴や持病なども適宜含む医療情報を、前記管理センター２において、各受診者１に予め付与された固有の患者番号である識別情報４１〜４４（以下、総称する際は、参照符号４で示す）に対応付けて、受診者１毎に集約して保管し、医療従事者、或いは受診者１本人や家族などからの要求に応じて、前記各受診者１の医療情報を、予め定めるルールに基づき閲覧可能にするものである。本個人医療情報集約システムにおいて、医療用の検査画像は、たとえば、該医療用の検査画像とその通信に関する標準規格であるＤＩＣＯＭ（Digital Imaging and Communication in Medicine）準拠のデータで、やり取りが行われ、また管理センター２で保管される。管理センター２において、実際に医療情報を保管するデータベースは、ＮＡＳ（Network Attached Storage）等の集約サーバによって実現することができる。
【００６０】
図２の例では、医療機関３１，３２は総合病院であり、医療機関３３は歯科であり、医療機関３４は薬局であり、医療機関３５は訪問介護施設であり、医療機関３６はその他（健保組合、社会保険、防衛省（自衛隊）・警察等）の医療関連施設である。図２の例では、各受診者１１，１２，１３，１４には、「Ａ１２３４５６７８９０ａ」「Ｂ１２３４５６７８９０ｂ」「Ｃ１２３４５６７８９０ｃ」「Ｄ１２３４５６７８９０ｄ」の識別情報４１，４２，４３，４４が、それぞれ割当てられている例を示している。そして、各受診者１１〜１４は、所持するスマートフォンやタブレット端末などの携帯情報端末５１〜５４（以下、総称する際は、参照符号５で示す）から、前記管理センター２の集約サーバにアクセスし、前記識別情報４および予め定めたログインＩＤやパスワードの入力によって、表示画面５５において、自身や家族などの医療情報６１の閲覧が可能になり、医療機関３で提示したりできるようになっている。医療機関３、管理センター２および携帯情報端末５は、ネットワーク７を介して相互に接続される。
【００６１】
こうして、本発明の個人医療情報集約システムでは、受診者１や家族が、セカンドオピニオンなどのために自身の医療情報６１を携えて新規な外来（３１，３２，３６）へ行ったり、図示しない地域の保険組合や医師会が、投薬の重複が無いか確認したり、レセプト請求の不備が無いかを確認したりするのに、非常に有効である。或いは、他の病院（３１，３２，３６）や診療科が、以前の医療情報を得るために、煩雑で時間の掛かる紹介などの作業を無くすことができるようになっている。
【００６２】
なお、前記医療情報６１の閲覧のために前記予め定められるルールは、たとえば医者が見られるレベル、薬局で見られるレベル、受診者１自身や家族で見られるレベルで、医療情報６１の制限を行う等である。具体的には、病院（３１，３２，３６）の診療科では総ての情報が見えるが、薬局（３４）や受診者１では進行のステージまで見られなかったり、治療の際に必要となる感染症（ＨＩＶや肝炎など）の情報は、病院（３１，３２，３６）だけで見られたりする等である。前記識別情報４は、ＩＤナンバーなどで、各受診者には１つだけ割当てられ、診察券に記載されるような医療機関（３１，３２，３６）毎に割当てられるようなものではなく、また受診者１が予め任意に設定しておくことができる前記のログインＩＤやパスワードとも異なる。
【００６３】
上述のように構成される個人医療情報集約システムを用いて、受診者（患者）１の体調不具合時、たとえば救急搬送時に、前記医療情報６１を活用できるようにすることを、本発明の特徴とする。図１を参照して、その活用は、救急車内や搬送先の病院などの受診者（患者）１の収容場所８において行われる。収容場所８は、前記の救急車内であったり、受診者（患者）１を２次搬送する必要がある場合には１次搬送先の処置室であったり、或いは大規模災害などで受診者（患者）１が多数存在する場合には、体育館や会議室等、公共施設などである可能性もある。
【００６４】
本発明では、その収容場所８において、救護処置を行う救命士、医師、看護士などの医療従事者９が、医療情報６１を活用することで、その収容場所８内での適切な処置や、病院（３１，３２）などの搬送先での受入れの事前準備が行えるようにする。詳しくは、先ず、受診者（患者）１の識別情報４を取得する。その識別情報４の取得は、受診者（患者）１の意識があり、かつ受診者（患者）１が記憶している場合には、医療従事者９が聞き出し、取得手段としてのパーソナルコンピュータ８１のキーボード８１１から、後述するようにして入力する（打込む）ことができる。或いは、受診者（患者）１が記憶していなかったり、受診者（患者）１の意識が無かったりすると、医療従事者９自身或いはシステムが自動的に、後述するようにして識別情報４を取得し、パーソナルコンピュータ８１に入力する。収容場所８内では、固定設置のパーソナルコンピュータ８１に限らず、移動自在のタブレット端末が用いられてもよく、或いはそれらが併用されてもよい。
【００６５】
本個人医療情報集約システムでは、こうして識別情報４が得られると、医療従事者９が、認証手段となるパーソナルコンピュータ８１から、自身のＩＤやパスワードなどを用いて、参照符号６２で示すように、前記管理センター２の集約サーバにアクセスし、受診者（患者）１の医療情報にアクセス（ダウンロード）する。ＩＤおよびパスワードは、医療従事者９が、受診者（患者）１の医療情報６１にアクセス（ダウンロード）する資格を有しているかどうかの認証に用いるものである。そのＩＤおよびパスワードの入力は、キーボード８１１から行われてもよいが、医療従事者９が所持するＩＣカード８２や磁気カード８３を、カードリーダー８１２，８１４に近付けたり、接触させたり、差込んだりして、情報を読取ることで行われてもよい。
【００６６】
受診者（患者）１の識別情報４が正しく無い時（該当する受診者が居ない、つまり識別情報４が存在しない時）、医療従事者９のＩＤまたはパスワードが正しく無い、つまりパスワードが間違っていたり、変更されていたりする時、或いはＩＤの有効期限が切れている時などには、管理センター２の集約サーバは、参照符号６３で示すように、それらの情報が間違っていることをパーソナルコンピュータ８１に返信する。前記医療従事者９のＩＤは、たとえば個人が申請するのではなく、消防組合などの所属機関が、一括して、システム管理者に対して申請を行い、交付を受ける。
【００６７】
図３は、医療従事者９が、受診者（患者）１の医療情報６１にアクセス（ダウンロード）する際のパーソナルコンピュータ８１の入力画面８１５の一例で、患者個人医療情報番号として前記識別情報４を入力欄８１５１に入力し、自身のＩＤを入力欄８１５２に入力し、パスワードを入力欄８１５３に入力し、ログインボタン８１５４をクリックすることで、集約サーバへのアクセスが可能になる。前記のＩＣカード８２や磁気カード８３を用いる場合、入力欄８１５２，８１５３は、自動入力となる。
【００６８】
そして、集約サーバで医療従事者９の認証が行われ、受診者（患者）１の医療情報６１が存在すると、その医療情報６１がダウンロードされ、表示手段であるパーソナルコンピュータ８１の表示画面８１３に表示される。
【００６９】
図４は、その表示画面８１６の一例を示す。大略的に、左上欄には、顔写真８１６１や、個人情報８１６２が表示される。したがって、前述のように識別情報４で、受診者（患者）１の本人認証が行われているが、医療従事者９は、この顔写真８１６１から、改めて受診者（患者）１の本人確認を行うことができる。個人情報８１６２には、前記識別情報４、名前、生年月日、血液型、住所、電話番号、連絡先などを含む。指示ボタン８１６５は、地域消防本部（１１９番）による受入れ医療機関の選定を要請するためのボタンである。
【００７０】
表示画面８１６の左下欄８１６３は、複数の頁構成となっており、アレルギーや嗜好などの基本情報（ＴＯＰ）、以前の受診時の診断書や健康診断結果、臓器提供の意思などが表示される。表示画面８１６の右側欄８１６４は、搬送先の医療機関との連携に用いられ、受け入れ先候補の医療機関が、候補順で表示されたり、連絡先などが表示されると共に、後述の受入れ準備のためのやりとりに使用する項目を含む。
【００７１】
本個人医療情報集約システムは、このようにして、管理センター２において集約して管理されている各個人の医療情報６１を、怪我、病気、事故、災害等の緊急時においても有効に用いることができ、医療従事者９が適切な対応を取り易く、救命率を上げることができる。
【００７２】
ここで、前記識別情報４に関して、他の取得方法について、図１を用いて、具体的に説明する。先ず、上述のように、受診者（患者）１は、新規の外来などの所望する時点（別病院に掛かる際など）に、図２で示すように、適宜自身の医療情報６１にアクセスできるようにするために、専用アプリケーションをインストールした情報通信端末５を所持しており、ＩＤおよびパスワード認証で、正式なユーザであることが認証されることで、自身の識別情報４およびそれに対応付けられた医療情報６１にアクセス可能になる。
【００７３】
したがって、そのような専用アプリケーションをインストールしていることから、この情報通信端末５を、体調不具合時（救急搬送時など）に、医療従事者９に見て貰うことで、識別情報４を受診者（患者）１が記憶していない場合にも、提示することができる。その場合、前記取得手段として、医療従事者９は情報通信端末５の表示画面５５を確認するだけでよく、識別情報４の取得が容易になる。
【００７４】
これに対して、受診者（患者）１の意識が無い場合など、受診者（患者）１が対応できない場合は、情報通信端末５を医療従事者９が起動操作して識別情報４を取得しなければならない。その場合、情報通信端末５が前記の専用アプリケーションを予めインストールしていることから、その専用アプリケーションが、予め定める起動操作として、所謂ＡＩスピーカや、検索機能を利用した音声認識によって、医療従事者９による予め定める音声指示を認識して起動し、前記識別情報４を表示画面５５に表示することが好ましい。
【００７５】
そうすることで、容態の悪い所有者（受診者１）が、自身で、ＩＤやパスワード入力などの複雑な本人認証を行わなくても、医療従事者９が識別情報４を探索し、医療情報６１にアクセス可能になるので、所有者（受診者）１の容態が悪く、識別情報４を聞き出せないような状況でも、該識別情報４を確実に取得することができる。また、専用アプリケーションは常時立上がっていなくてもよく、情報通信端末５の消費電力を削減することができる。
【００７６】
また、上述のように、情報処理端末５が専用アプリケーションを予めインストールしている場合、無線ＬＡＮなどの所定の無線通信で、参照符号５９で示すように、取得手段であるパーソナルコンピュータ８１に識別情報４を送信して、自動セットすることが好ましい。つまり、図３の識別情報４の入力欄８１５１の入力が、自動となる。そうすることで、医療従事者９の負担軽減を図ったり、入力時間を短縮したりすることができる。
【００７７】
しかしながら、その場合、その無線通信が、救急車などの受診者１の収容場所８の外に漏れる可能性がある。そして、その無線通信を傍受した者が、たとえば他の医療機関への勤務の経験があるなどして、医療従事者９のＩＤ，パスワードなどの認証をパスできる手段を有すると、受診者１の個人情報であるカルテなどの医療情報６１が閲覧可能になる。この点、前述のように、情報処理端末５に表示されたり、受診者１から聞き取った識別情報４を、医療従事者９が、取得手段であるパーソナルコンピュータ８１の入力欄８１５１にキーボード８１１から手入力する場合は、その識別情報４の取得（セット）にあたって、収容場所８以外に該識別情報４が漏れることはない。
【００７８】
そこで、取得手段であるパーソナルコンピュータ８１と情報処理端末５との間は、予め定めるタイミング、たとえば所定周期や、使用毎に変更される暗号数列によって、識別情報４を暗号化して送信することが好ましい。そうすることで、個人情報の不所望な漏洩を防止することができる。暗号数列は、前記専用アプリケーション内に複数準備されていて、その何れを使用するかが、管理センター２からネットワーク７を介する通信で切換えられてもよく、或いは、管理センター２からネットワーク７を介する通信で、適宜、新しい（ワンタイムの）暗号数列がセットされてもよい。勿論、ネットワーク７を介する医療情報６１の取得や、参照符号６２で示す管理センター２へのアクセスも、暗号化されて行われることが好ましい。
【００７９】
また、上述のように、医療従事者９が受診者１の情報処理端末５を操作して識別情報４を取得する場合、所有者（受診者１）が情報通信端末５を、持っているかどうか、また持っていても何処に持っているか分からないことがある。そのような場合、意識の無い受診者１に尋ねる必要も出て来る。そこで、本実施形態では、収容場所８には、ダミー発信機８４が設けられる。
【００８０】
このダミー発信機８４は、携帯電話のネットワーク７１を介する電波を発信可能で、スマートフォン５などの情報通信端末５は、通常、このネットワーク７１の通信の受信待ち受け状態となっている。そして、このダミー発信機８４は、前記医療従事者９の発報操作に応答して、該収容場所８内に存在する任意の情報通信端末５が受信可能な程度で、つまり外部に漏れないような小さな送信パワーで、地震などの緊急通報をダミーで発信する。すると、それを受信した情報通信端末５が着信反応を示すことで、該情報通信端末５の存在を医療従事者９に示すことができる。したがって、所有者（受診者１）の容態が悪く、携帯情報端末５の所在を聞き出せないような状況でも、医療従事者９は、識別情報４を確実に取得することができる。
【００８１】
また、ダミー発信機８４のパワーを大きくして屋外に設置することで、たとえばスキー場などで、使用者の遭難時に、ダミーの緊急通報を流し、携帯情報端末５に着信させて、使用者（受診者１）の居場所の特定に役立てたりもすることができる。そのため、前記専用アプリケーションソフトは、緊急通報の受信から、音や光を暫く出し続ける、および／またはそれらの動作を所定間隔で繰返すことが好ましい。
【００８２】
または、前記の携帯電話のネットワーク７１に代えて、所謂Wi-Fi（登録商標、IEEE 802.11規格）や、Bluetooth（登録商標、IEEE 802.15規格）などの近距離の無線ＬＡＮ回線８６が用いられてもよい。詳しくは、収容場所８には、無線ＬＡＮスポット８５を有し、その無線ＬＡＮスポット８５には、該個人医療情報集約システムに共通の予め定めるＩＰアドレスが割当てられており、FreeのWi-Fiのように、情報通信端末５は、受信設定されていれば、その電波をキャッチすると反応する。情報通信端末５に予めダウンロードされている専用アプリケーションは、無線ＬＡＮスポット８５と同じソフトウェア同士で、そのWi-Fi電波の受信で起動し、受信者１の医療情報４を無線ＬＡＮスポット８５から、それに接続されているパーソナルコンピュータ８１に送信する。送信されると、識別情報４は、図３の入力欄８１５１に自動セットされる。
【００８３】
このように構成してもまた、所有者（受診者１）の容態が悪く、携帯情報端末５を操作して識別情報４を取出せないような場合にも、医療従事者９は識別情報４を確実に取得することができる。
【００８４】
ここで、上述のように、Free Wi-Fiなどで識別情報４を送信すると、収容場所８の外部でも、それを傍受できてしまう可能性がある。識別情報４は、非常に重要な個人情報で、その場合、前述の暗号化などの手法がある。一方、スマートフォンなどの携帯情報端末５には、前述のように、受診者１が自身の医療情報６１にアクセスするためのＩＤおよびパスワードが設定されている。したがって、これらのＩＤおよびパスワードを用いることで、近距離の無線ＬＡＮ回線８６の使用時のセキュリティを向上することができる。
【００８５】
具体的には、受診者１は、一般的なログインＩＤやパスワードの記憶と同様に、前記ＩＤおよびパスワードを入力して、予め記憶させておく。そのＩＤおよびパスワードによってユーザ認証を行うことができるので、携帯情報端末５には、前記識別情報４とは別の情報を用い、同様に受信者１の医療情報６１を取得できるようにする。しかしながら、全く別の情報では、混乱を招く可能性もあるので、好ましくは、前記識別情報４の一部を変更した附属番号とする。たとえば図１および図２において、受信者１１の識別情報４１は、前述の通り「Ａ１２３４５６７８９０ａ」であるが、図４に例示する附属番号は、「１２３４５６７８９０Ａａ」である。そうすることで、たとえばカルテの閲覧は可能になるものの、本来の識別情報４でないと閲覧できない感染情報などの個人医療情報で最も重要な部分を、秘密にしておくことができる。なお、前記の個人医療情報で最も重要な部分は、個人情報のオンラインマニュアルに従い、医者側で決められる。
【００８６】
このように構成することで、受診者１の体調不具合時に、無線ＬＡＮ８６の呼出しに情報通信端末５が自動的に応答し、附属番号が第三者に傍受されても、重要な個人情報である本来の識別情報４が明らかになる訳で無く、個人情報の保護を行うことができる。
【００８７】
さらにまた、情報通信端末５が待受けし、受信から返信を行う構成として、ＳＮＳが広く普及している。返信には、現状、ユーザ（受診者１）の操作が必要である。しかしながら、本実施形態では、上述のように、情報通信端末５には、専用のアプリケーションがインストールされている。そこで、この専用のアプリケーションを用いて、医療従事者９は、ＬＩＮＥ（登録商標）やＴｗｉｔｔｅｒ（登録商標）などのＳＮＳを発信し、情報通信端末５のアプリケーションは、予め登録しておいたそのＳＮＳを受信することで起動し、ユーザ（受診者１）名、電話番号、識別情報４などを、ネットワーク７１や無線ＬＡＮ８６を介して、パーソナルコンピュータ８１へ返信するようにしてもよい。そうすることで、情報通信端末５のソーシャルネットワークの待ち受け機能を利用して、識別情報４を自動取得することができる。
【００８８】
一方、識別情報４の自動発報は、スマートフォンなどの汎用の情報通信端末５に限らず、機能を絞った専用機で行うようにしてもよい。その専用機は、受信者１ができるだけ長い時間身に着けることができ、かつ身に着けていて不自然で無い装身具５６であることが好ましい。たとえば、習慣的に身に着けられるブレスレットなどである。その場合、前記収容場所８に設置された無線ＬＡＮスポット８５などの無線ＬＡＮ８６回線や携帯電話回線（７１）の第１の無線機が取得手段となり、受診者１が身に着けた装身具５６は第２の無線機となる。無線ＬＡＮスポット８５などの第１の無線機は、収容場所８の使用中（救急搬送時など）に、応答端末をサーチ（ポーリング、探索）している。装身具５６はまた、前記識別情報４を記憶する記憶部を備え、前記サーチに応答して、前記携帯電話回線（７１）或いは無線ＬＡＮ回線８６を介して、識別情報４を前記パーソナルコンピュータ８１に返信する。
【００８９】
そうすることで、装身具５６を身に着けた受診者１が救急車（８）に運び込まれるなどして、応答する第２の無線機（５６）を検出すると、取得手段である第１の無線機（８５）は、第２の無線機と無線通信を行い、通信相手先に対する所定の認証を行う。認証が行われると、記憶部（５６）に記憶されている受診者の識別情報４が第２の無線機（５６）から第１の無線機（８５）に送信され、該識別情報４に対応付けられた受診者１の医療情報６１の表示が可能になる。したがって、ブレスレットなどの受診者１が習慣的に身に付ける装身具５６を利用して識別情報４を取得するので、識別情報４が取得できる可能性が高くなる。
【００９０】
なお、識別情報４を身に着けておくにあたって、装身具５６は、受診者１の体の外に着ける物であるが、体内に埋め込むものが用いられてもよい。具体的には、動物に対して実用化されているＩＣチップである。
【００９１】
また、上述の情報通信端末５や装身具５６などは、子供や老人などで、所持しない受診者も存在する。そこで、それらの代用として、受診者１が所持するカード５７や診察券５８を用いてもよい。カード５７の例としては、ＩＣカードから成るマイナンバーカードであるが、磁気カードであってもよい。その場合、取得手段は、前記のカードリーダー８１２，８１４で読み取りを行うことができる。カード５７を読取ると、パーソナルコンピュータ８１は、前記管理センター２の集約サーバとは別のサーバなどに予め格納されているテーブルを参照し、そのカード５７のナンバーから、本個人医療情報集約システムにおける受診者１の識別情報４を容易に読出すことができる。
【００９２】
一方、診察券５８は、受診者１が、任意の医療機関のものを所持し、医療従事者９が、前記取得手段であるパーソナルコンピュータ８１から、その情報を入力することで、前記管理センター２の集約サーバとは別のサーバなどに予め格納されているテーブルを参照し、受診者１の識別情報４を読出すことができる。本個人医療情報集約システムでは、元々、各受診者１に割当てられる１つの識別情報４に対して、多数の医療機関３から集められたその受診者１に関する情報が対応付けて記憶されるので、前記受診者１に関する情報の中には、各医療機関３での診察券５８の情報も含まれる。
【００９３】
この診察券５８の情報を用いる場合の、パーソナルコンピュータ８１の入力画面８１５０の一例を、図５に示す。図３は図５に類似し、対応する部分には同一の参照符号を付して、その説明を省略する。注目すべきは、入力画面８１５０では、前記の入力欄８１５１〜８１５３およびログインボタン８１５４に加えて、受診者１の診察券５８の情報を入力する欄８１５５〜８１５８およびボタン８１５９ａ，８１５９ｂ，８１６０が設けられていることである。
【００９４】
入力欄８１５５は、その診察券５８を発行した、つまり受診者１の受診先の医療機関の情報を入力する欄であり、名称、電話番号、または医療機関番号の何れかを入力すればよい。電話番号または医療機関番号を入力した場合は、検索ボタン８１５５ａをクリックすることで、名称に置換えることができる。入力欄８１５６は、その受診先医療機関での受診者の番号（患者番号、カルテ番号）を入力する欄であり、入力欄８１５７は受診者の名前をカタカナで入力する欄であり、入力欄８１５８は受診者の生年月日を入力する欄である。ボタン８１５９ａ，８１５９ｂは、男女の区分をクリック入力するボタンであり、検索釦８１６０は、それらの診察券情報から、入力欄８１５１の識別情報４を、管理センター２の集約サーバとは別のサーバなどに予め格納されているテーブルから検索するボタンである。
【００９５】
このように構成することで、受診者１の体調不具合時に、受診者１が持ち合わせたカード５７や診察券５８の１枚から、前記テーブルを参照して、容易に識別情報４を読出すことができる。なお、診察券５８などの個人識別カードにおいて、番号が二次元バーコード、所謂ＱＲコード（登録商標）でも記載されている場合、それをバーコードスキャナで読取ることで、キーボード８１１からの手入力を削減することができる。
【００９６】
さらにまた、上述の情報通信端末５や装身具５６などは、受信者（患者）１が身に着けている可能性が高いものの、着けるのを忘れたり、或いは持っていなかったりする可能性もある。そのような場合に、個人を特定するには、生体認証が効果的である。すなわち、たとえば、採取手段である指紋採取機８８や、撮影手段であるカメラ８９を用いる。指紋採取機８８は、受信者（患者）１の指１０１の指紋を採取し、それを、照合手段である前記管理センター２の別のサーバなどに格納された指紋のデータベースで照合して、受診者１の個人を特定し、その特定された個人情報（識別情報４）を読出し手段であるパーソナルコンピュータ８１が読出し、該パーソナルコンピュータ８１の入力欄８１５１にセットする。同様に、カメラ８９で撮影された人物画像は、照合手段である前記管理センター２の別のサーバなどに格納された人物画像のデータベースで照合され、受診者１の個人が特定されると、読出し手段であるパーソナルコンピュータ８１が読出し、該パーソナルコンピュータ８１の入力欄８１５１にセットする。それらの構成で、取得手段が構成される。
【００９７】
前記指紋のデータは、パスポートの自動化ゲートや警察などのデータを、利用可能になれば利用することができるが、多数は、本システムで新規に登録する必要がある。その点、顔写真のデータは、利用できれば、運転免許証、パスポート、マイナンバーカードなどのために登録された多くのデータを役立てることができる。そして、照合では、データベースで、指紋や顔写真から、住所や氏名などの個人情報を読出し、その個人情報を、本個人医療情報集約システムの機構で作成された識別情報４のテーブル、つまり誰に何番の識別情報４を割付けているかのテーブルに照合することで、指紋や顔写真から、最終的に識別情報４を読出すことができる。このように構成することで、指紋や顔写真がデータベースに登録されている受診者１であれば、格別、何ら身に着けているものが無くても、また受診者１の容態が悪くても、識別情報４を読出し、カルテなどが閲覧可能になる。
【００９８】
次に、図４の受診者１の認証後における本個人医療情報集約システムの更なる利用方法について説明する。識別情報４から、個人の医療情報６１が入手（ダウンロード）されると、パーソナルコンピュータ８１の表示画面８１３には、図４で示すような表示画面８１６が表示される。表示画面８１６の右側欄８１６４は、前述のように、搬送先の医療機関との連携に用いられ、先ず、リスト８１７１には、受け入れ先候補の医療機関が、候補順で表示される。また、上欄８１７２には、識別情報４が表示される。上欄８１７２の識別情報４および左側欄の医療情報６１は、欄８１７３に指定された病院に、送信ボタン８１７４をクリックすることで、送信することができる。このようにして、その病院の受入れ準備に役立てることができる。
【００９９】
本個人医療情報集約システムでは、この搬送先の医療機関との連携に用いられる右側欄８１６４にはまた、医療機関に受診者（患者）１の状況を伝えるための複数のアイコン８１７５〜８１７８が用意されている。アイコン８１７５部分には、救急救命士などの医療従事者９が、予め定められている処置をして判定した受診者（患者）１の状態を、たとえば５段階で判定した結果が表示され、このアイコン８１７５をクリックすることで、欄８１７３に指定された最終の受入れ予定の医療機関（以降、受入れ医療機関と言う）に、その判定結果が送信される。こうして、後述の画像や動画では伝わり難い場合に、受診者（患者）１の状態を、素早く、受入れ医療機関に伝えることができる。
【０１００】
また、アイコン８１７６をクリックすることで、ハンズフリーの通話が可能になり、救命救急士などの医療従事者９が、前記受入れ医療機関の医師の指示を仰いだりすることができる。さらにまた、アイコン８１７７をクリックすることで、撮像手段である前述のカメラ８９などで撮影された収容場所８内の動画像が、前記受入れ医療機関、たとえば３１の表示装置３１１（図１参照）に送信される。アイコン８１７８をクリックすることで、たとえば動画像より高精細で、患部や傷をアップにした静止画が、たとえば前記医療機関３１の表示装置３１１に送信される。パーソナルコンピュータ８１は、これらの画像や音声の送信手段となる。また、これらの画像や音声を、受入れ医療機関３１の表示装置３１１に転送する管理センター２は、中継手段となるが、そのような中継は、医療情報６１の集約サーバを通さず、別の中継手段で行われることが望ましい。
【０１０１】
図６には、収容場所８として、救急車内における受診者（患者）１のライブ画像送信中のパーソナルコンピュータ８１の表示画面８１８のイメージを示す。この画面８１８には、受入れ医療機関３１の医師の画像８１９も、所謂テレビ会議の手法で嵌め込まれている。図７は、医療機関３１側での前記ライブ画像のモニター中のイメージを示す。
【０１０２】
このようにして、カルテなどの医療情報６１だけでなく、収容場所８における受診者（患者）１のライブ画像や医療従事者９の音声を医療機関３１側へ中継することで、前記受入れ医療機関３１では、適切な受入れ準備を行うことができ、患者（受診者１）の救命率を向上することができる。また、医療従事者９については、患者（受診者１）の処置と並行して行わなければならない受入れ医療機関３１への、症状や処置の説明などの煩雑な作業を軽減することができる。また、双方向回線で、医療機関３１の医師からの少なくとも音声をパーソナルコンピュータ８１へ中継することで、治療や処置の指示を行ったり、より詳細な状況確認を行ったりすることができる。これによって、患者（受診者１）の救命率をより向上することができる。
【符号の説明】
【０１０３】
１；１１，１２，１３，１４    受診者（患者）
１０１  指
２１，２２    管理センター
３１，３２，３３，３４，３５，３６    医療機関
３１１  表示装置
４；４１，４２，４３，４４    識別情報
５；５１，５２，５３，５４    携帯情報端末
５５    表示画面
５６    装身具
５７    カード
５８    診察券
５９    無線通信
６１    医療情報
６２    医療情報ダウンロード
７    ネットワーク
７１    携帯電話のネットワーク
８    収容場所
８１    パーソナルコンピュータ
８１２，８１４    カードリーダー
８１３，８１６    表示画面
８１５  入力画面
８１５１    識別情報入力欄
８１５２    ＩＤ入力欄
８１５３    パスワード入力欄
８１５４    ログインボタン
８１８  表示画面
８１９  医師の画像
８２    カード
８４    ダミー発信機
８５    無線ＬＡＮスポット
８６    無線ＬＡＮ回線
８８    指紋採取機
８９    カメラ
９    医療従事者
【図１】
2019185534.tif 000003
【図２】
2019185534.tif 000004
【図３】
2019185534.tif 000005
【図４】
2019185534.tif 000006
【図５】
2019185534.tif 000007
【図６】
2019185534.tif 000008
【図７】
2019185534.tif 000009
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
複数の各医療機関で収集された複数の受診者毎の医療情報を、各受診者に予め付与された固有の識別情報に対応付けて集約して保管し、医療従事者および／または各受診者の要求に応じて、前記各受診者の医療情報を予め定めるルールに基づき閲覧可能にする個人医療情報集約システムにおいて、
前記受診者が体調に不具合を生じた際に収容される収容場所において、前記識別情報を取得する取得手段と、
前記収容場所において、前記受診者の処置に関与する医療従事者が、該受診者の医療情報にアクセスするための認証を行う認証手段と、
前記認証手段で認証が得られると、前記収容場所において、前記識別情報に対応付けられた受診者の医療情報を取得し、前記医療従事者に表示する表示手段とを含み、
前記受診者はネットワークを介して自身の医療情報にアクセス可能な情報通信端末を有し、
前記収容場所には、近距離の無線ＬＡＮスポットを有し、その無線ＬＡＮスポットには、該個人医療情報集約システムに共通の予め定めるＩＰアドレスが割当てられており、
前記情報通信端末は、前記自身の医療情報にアクセス可能な専用アプリケーションを有し、前記予め定めるＩＰアドレスの無線ＬＡＮの信号を受信すると、前記専用アプリケーションが起動し、前記識別情報を、表示画面に表示、もしくは前記無線ＬＡＮの信号で返信することで、前記識別情報を前記取得手段に取得させることを特徴とする個人医療情報集約システム。
【請求項２】
前記識別情報に関連して、該識別情報と同様に受診者の医療情報にアクセス可能な附属番号が予め設定されており、かつ各受診者は、自身の医療情報にアクセスするためのユーザＩＤおよびパスワードを前記情報通信端末から設定しており、
前記情報通信端末のアプリケーションは、前記附属番号ならびにユーザＩＤおよびパスワードを、前記無線ＬＡＮの信号で返信することを特徴とする請求項１記載の個人医療情報集約システム。
【請求項３】
複数の各医療機関で収集された複数の受診者毎の医療情報を、各受診者に予め付与された固有の識別情報に対応付けて集約して保管し、医療従事者および／または各受診者の要求に応じて、前記各受診者の医療情報を予め定めるルールに基づき閲覧可能にする個人医療情報集約システムにおいて、
前記受診者が体調に不具合を生じた際に収容される収容場所において、前記識別情報を取得する取得手段と、
前記収容場所において、前記受診者の処置に関与する医療従事者が、該受診者の医療情報にアクセスするための認証を行う認証手段と、
前記認証手段で認証が得られると、前記収容場所において、前記識別情報に対応付けられた受診者の医療情報を取得し、前記医療従事者に表示する表示手段とを含み、
前記受診者はネットワークを介して自身の医療情報にアクセス可能な情報通信端末を有し、該情報通信端末は、前記識別情報を提示することで前記取得手段に取得させ、
前記収容場所には、前記ネットワークを介して、該収容場所内に存在する任意の情報通信端末が受信可能な送信パワーで、緊急通報を発信することができる発信機を備え、
前記発信機は、前記医療従事者の操作に応答して、前記緊急通報を発信し、それを受信した情報通信端末が着信反応を示すことで、該情報通信端末の存在を前記医療従事者に示すことを特徴とする個人医療情報集約システム。